(57)【要約】【課題】２種の流体を噴射するロータリー式リンサ１のロータリバルブ１１で、一方の流体が他方の流体に混入することを防止する。【解決手段】固定側バルブ部材２８に薬液供給通路６０とエア供給通路４８が形成され、回転側バルブ部材１６に薬液吐出通路１８とエア吐出通路２４が形成されており、回転側バルブ部材１６の回転に伴って、それぞれの供給通路と吐出通路とが連通遮断される。固定側バルブ部材２８と回転側バルブ部材１６の薬液用通路６０、２２ａが開口する摺動面（薬液用ステータ３４と薬液用ディストリビュータ２２との摺動面）と、エア用通路４８、２４が連通遮断される摺動面（回転側バルブ部材１６とエア用ディストリビュータ４９との摺動面）とが、半径方向の位置を異ならせ、しかも、高低差を付けて配置されている。【選択図】        図１
2005021773.tif 000002
【特許請求の範囲】
【請求項１】
流体の供給通路が形成された固定側部材と、この固定側部材に対し摺動回転可能に配置され、回転に伴って前記供給通路に連通遮断される吐出通路が形成された回転側部材とを備え、回転側部材の回転中に、吐出通路が固定側部材の供給通路に接続された際に、流体を洗浄ノズルに送って容器に噴射するロータリー式リンサにおいて、
前記供給通路と吐出通路を少なくとも２組設け、各組の通路が開口する摺動面を高低差を付けて配置したことを特徴とするロータリー式リンサ。
【請求項２】
前記摺動面を半径方向に位置を異ならせて配置したことを特徴とする請求項１に記載のロータリー式リンサ。
【請求項３】
前記流体が、洗浄用の液体と気体であることを特徴とする請求項１または請求項２に記載のロータリー式リンサ。
【発明の詳細な説明】
【０００１】
【発明が属する技術分野】
本発明はロータリー式リンサに係り、特に、固定側部材に形成した通路と回転側部材に形成した通路とを連通遮断することにより洗浄流体の供給を行うロータリバルブを備えたロータリー式リンサに関するものである。
【０００２】
【従来の技術】
従来のロータリー式リンサは、回転体と、この回転体の外周に円周方向等間隔で設けられ、コンベヤによって搬送されてきた容器を受け取って反転させるボトルグリッパと、前記回転体の各ボトルグリッパに対応する位置にそれぞれ設けられ、ボトルグリッパによって倒立した状態で保持されている容器内に洗浄流体を噴射してこの容器を洗浄する洗浄ノズルと、外部から送られてくる洗浄流体を各洗浄ノズルに分配供給するロータリバルブ等を備えている（例えば、特許文献１参照）。
【０００３】
従来のロータリバルブは、固定側のバルブ部材と、この固定側のバルブ部材に対し摺動回転する回転側のバルブ部材とを備えており、固定側バルブ部材には、ポンプから送り出されてきた洗浄流体を分配供給する供給通路が形成され、回転側バルブ部材には、前記洗浄ノズルに接続された配管に洗浄流体を給送する吐出通路が形成されており、回転側バルブ部材の回転中の所定区間で回転側バルブ部材の吐出通路が固定側バルブ部材の供給通路に接続されると、洗浄流体が前記配管を介して洗浄ノズルに送られ、ボトルグリッパにグリップされている容器内に噴射されてその容器の洗浄を行う。
【０００４】
前記構成のロータリー式リンサを、滅菌した液体の充填を無菌環境内で行うアセプティック充填システムに適用する場合には、洗浄ノズルを２重管とし、洗浄用の液体とエアの両者を容器内に噴射する構成とすることがある。この２重管構造の洗浄ノズルは、容器内のエアを無菌エアに置換するため、および、容器の口が細いため洗浄用の液体が容器内から出にくくなることを防ぐため等の目的で用いられる。
【０００５】
前記のような２重管構造の洗浄ノズルに、洗浄用の液体とエアとを送るため、ロータリバルブの固定側バルブ部材に、洗浄用液体とエアの２種類の流体用の供給通路を形成している。このような２種類の流体用の供給通路は、同一半径の円周上に回転方向の位置をずらして形成する場合と、異なる半径の円周上にそれぞれ設ける場合とがあるが、いずれの場合も、２種類の流体の供給通路が開口する固定側バルブ部材と回転側バルブ部材との摺動面は  同一平面上に位置している。
【０００６】
【特許文献１】
特開平１１−２７７０１７号公報（第３−５頁、図１）
【０００７】
【発明が解決しようとする課題】
前記のように２種類の流体を供給するようにした従来のロータリバルブでは、同一平面上に、しかも、接近した位置に２種類の流体の分配ゾーンが設けられているため、流体の相互干渉が発生しやすい。特に、２種の流体間に圧力差がある場合には、高圧流体が低圧流体側へにじみ出るおそれがあり、また、水酸化ナトリウム等の浸透性の高い液体を採用した場合には、他の流体側に混入するおそれが高いという問題があった。水酸化ナトリウムがエア通路に混入してしまうと、エア通路内で乾燥して壁面に付着し、スケールとなってノズル詰まりの原因となる危険性がある。
【０００８】
本発明は前記課題を解決するためになされたもので、ロータリバルブによって２種類の流体を分配供給する場合でも、これら流体が混じり合うおそれのないロータリバルブを備えたロータリー式リンサを提供することを目的とするものである。
【０００９】
【課題を解決するための手段】
請求項１に記載の発明に係るロータリー式リンサは、流体の供給通路が形成された固定側部材と、この固定側部材に対し摺動回転可能に配置され、回転に伴って前記供給通路に連通遮断される吐出通路が形成された回転側部材とを備え、回転側部材の回転中に、吐出通路が固定側部材の供給通路に接続された際に、流体を洗浄ノズルに送って容器に噴射するものであって、特に、前記供給通路と吐出通路を少なくとも２組設け、各組の通路が開口する摺動面を高低差を付けて配置したことを特徴とするものである。
【００１０】
前記発明に係るロータリー式リンサでは、一方の流体の供給通路と吐出通路とが開口する摺動面と、他方の流体の供給通路と吐出通路とが開口する摺動面とを高低差を付けて配置しているので、２種類の流体は完全に分離され、混じり合うことがない。
【００１１】
請求項２に記載の発明に係るロータリー式リンサは、前記請求項１に記載のロータリー式リンサにおいて、前記摺動面を半径方向に位置を異ならせて配置したことを特徴とするものである。
【００１２】
この発明に係るロータリー式リンサでは、一方の流体の供給通路と吐出通路とが開口する摺動面と、他方の流体の供給通路と吐出通路とが開口する摺動面とを、高低差を付けて配置するとともに、半径方向の位置を異ならせて配置しているので、２種類の流体は完全に分離され、混じり合うことがない。
【００１３】
また、請求項３に記載の発明に係るロータリー式リンサは、前記流体が、洗浄用の液体と気体であることを特徴とするものである。
【００１４】
２種類の流体の一方が液体で他方が気体の場合には、液体が気体通路側に浸入しやすく、例えば、薬液を洗浄用の液体として用いた場合には、この薬液の成分が気体通路内で乾燥し固形化すると、ノズル詰まり等が発生するおそれがあるが、この発明の構成の場合には、液体が気体通路内に浸入することを確実に防止することができる。
【００１５】
【発明の実施の形態】
以下、図面に示す実施の形態により本発明を説明する。図１は本発明の一実施の形態に係るロータリー式リンサの要部の縦断面図、図２はロータリー式リンサの全体の配置を簡略化して示す平面図、図３はロータリー式リンサの全体の構造を簡略化して示す縦断面図である。
【００１６】
容器搬送コンベヤ２によって搬送されてきた容器４は、入口スターホイール６を介してこのロータリー式リンサ（全体として符号１で示す）に供給される。供給された容器４は、ロータリー式リンサ１の回転体８の外周に円周方向等間隔で設けられたボトルグリッパ１０に１本ずつ把持される。容器４を把持したボトルグリッパ１０は、図２の矢印Ｒ１方向に回転移動しつつ反転して容器４を倒立状態にする。
【００１７】
ボトルグリッパ１０に把持され倒立状態で搬送される容器４は、ロータリバルブ（全体として符号１１で示す）を介して送られてきた洗浄用の薬液（この実施の形態では水酸化ナトリウム）と無菌エアとが、洗浄ノズル１２によって吹き込まれて洗浄される。洗浄ノズル１２は従来から知られた構造の２重管ノズルであり、図示はしないが、中央に配置された薬液用ノズルの周囲に無菌エア用ノズルが設けられている。
【００１８】
洗浄ノズル１２から薬液および無菌エアが吹き込まれて洗浄された容器４は、ボトルグリッパ１０により再度反転されて正立状態に戻され、出口スターホイール１３を介して搬送コンベヤ２上に排出され、次の工程に送られる。
【００１９】
次にロータリバルブ１１の構成について説明する。中央の回転軸１４上に固定された回転体（メインホイール）８の上面に回転シャフト（回転側バルブ部材）１６が連結されて一体的に回転する。回転シャフト１６の下部には、外周側に拡大されたフランジ状の部分１６ａが形成されており、このフランジ状部分１６ａの下面が前記メインホイール８の上面に連結されている。
【００２０】
フランジ状部分１６ａの外周部に上方へ突出する環状凸部１６ｂが設けられ、この環状凸部１６ｂの内部に洗浄用の薬液（水酸化ナトリウム）の吐出通路１８が形成されている。洗浄用薬液の吐出通路１８は、環状凸部１６ｂの上面に円周方向等間隔で設けられた薬液導入口１８ａと外周面に形成された薬液吐出口１８ｂを有しており、後に説明する固定側バルブ部材から供給された洗浄用薬液を、各薬液吐出口１８ｂに接続された薬液用配管２０を介して前記洗浄ノズル１２に給送する。
【００２１】
前記回転シャフト１６の外周に形成された環状凸部１６ｂの上面に、薄い環状板から成る薬液用ディストリビュータ２２が連結されている。この薬液用ディストリビュータ２２は、前記環状凸部１６ｂの上面に等間隔で形成された薬液吐出通路１８の導入口１８ａと同一の位置に、上下に貫通する連通孔２２ａが設けられている。
【００２２】
前記回転シャフト１６の内部に円周方向等間隔で無菌エアの吐出通路２４が形成されている。このエア吐出通路２４は、回転シャフト１６の上端部に近い肩部側面に、エア導入口２４ａが形成され、前記フランジ状部分１６ａの外周面にエア吐出口２４ｂが形成されている。このエア吐出通路２４も、前記薬液吐出通路１８と同様に配管２６を介して前記洗浄ノズル１８に接続されており、２重管構造の洗浄ノズル１２の外周側に無菌エアを送るようになっている。なお、前記薬液は、２重管構造の洗浄ノズル１２の内周側に送られて前記容器４内に噴射される。
【００２３】
回転側バルブ部材である回転シャフト１６の上方に、固定側バルブ部材２８が配置されている、この固定側バルブ部材２８は、エア用ステータを構成する天板部３０と、回転シャフト１６の外周を囲む筒状部３２と、この筒状部３２の外周側に上下に摺動可能に嵌合された環状の部材から成る薬液用ステータ３４とを備えており、回転シャフト１６上端に形成された小径部１６ｃが天板部３０の円形穴３０ａ内を摺動可能に貫通してボールベアリング３６により回転自在に支持されるとともに、その下方の大径部１６ｄが筒状部３２の内周面に摺接し、ボールベアリング３８より回転自在に支持されている。回転シャフト１６の小径部１６ｃと固定側バルブ部材２８の天板部３０との間および回転シャフト１６の大径部１６ｄと固定側バルブ部材２８の筒状部３２の間には、それぞれシール部材４０、４２が装着されている。なお、筒状部３２の外周に昇降可能に嵌合した薬液用ステータ３４は、回り止めピン４３によって前記天板部３０に連結されて回転を規制されている。
【００２４】
回転シャフト１６の肩部の周囲とエア用ステータを構成する天板部３０の内面との間に空間４４が形成され、前記天板部３０の円形穴３０ａ内に装着されたシール４０と、回転シャフト１６の大径部１６ｄ外周に接するシール４６とによりこの空間４４内が密封されている。天板部（エア用ステータ）３０には、エア供給通路４８が形成されており、図示しないエア供給源からこの空間４４内に無菌エアを供給する。
【００２５】
天板部（エア用ステータ）３０の内面の、前記入口スターホイール６と出口スターホイール１３の間の区間に、エア用ディストリビュータ４９（図１および図４参照）が固定されている。回転シャフト１６の肩部に開口しているエア吐出通路２４の導入口２４ａは、このエア用ディストリビュータ４９が取り付けられている区間では、ディストリビュータ４９によって封止され、洗浄ノズル１２へのエアの供給が停止される。
【００２６】
前記固定側バルブ部材２８の筒状部３２の外周に、薬液用ステータ３４が昇降可能に嵌合している。この薬液用ステータ３４は断面がコ字状をしており、内部に環状の空間が形成されている。一方、前記筒状部３２の外面には、ピストン５０が固定されており、このピストン５０が前記薬液用ステータ３４の環状空間内を上下の圧力室５２、５４に区画している。これら圧力室５２、５４を有する薬液用ステータ３４と筒状部３２に固定されたピストン５０とにより、薬液用ステータ３４を昇降させるシリンダ装置５５が形成されている。上下の各圧力室５２、５４には、それぞれエア通路５６、５８を介してエアを給排できるようになっており、下方の圧力室５４にエアを供給したときには薬液用ステータ３４を下降させて薬液用ディストリビュータ２２に押し付け、上方の圧力室５２にエアを導入したときには、薬液用ステータ３４を上昇させて、ディストリビュータ２２から離隔させることができるようになっている。
【００２７】
薬液用ステータ３４には、薬液の供給通路６０が形成されている。この供給通路６０は、薬液用ステータ３４の外周面に開口する薬液供給口６０ａと、下面側に開口する円弧状の長孔６０ｂを有している。この円弧状の長孔６０ｂは、前記薬液用ディストリビュータ２２および回転シャフト１６に設けられた吐出通路１８の導入口１８ａと同一半径の円周上に位置しており、回転する薬液用ディストリビュータ２２の各連通孔２２ａがこの長孔６０ｂに連通すると、薬液が洗浄ノズル１２に送られて、容器４内に噴射される。
【００２８】
前記構成のロータリー式リンサ１の作動について説明する。容器搬送コンベヤ２によって搬送されてきた容器４は、入口スターホイール６を介してこのロータリー式リンサ１に供給され、ボトルグリッパ１０によって１本ずつ把持される。ボトルグリッパ１０が反転して容器４を倒立状態にし、容器４の口部が下方の洗浄ノズル１２に向かい合った状態で回転搬送される。
【００２９】
ロータリバルブ１１の固定側バルブ部材２８には、内部に環状空間を有する薬液用ステータ３４と、筒状部３２の外面に固定されたピストン５０とによりシリンダ装置５５が形成されており、このロータリー式リンサ１が通常の洗浄運転を行う際には、下方の圧力室５４にエアを導入して薬液用ステータ３４を押し下げて、回転シャフト（回転側バルブ部材）１６の環状凸部１６ａの上面に連結された薬液用ディストリビュータ２２に圧接させている。
【００３０】
前記状態で、回転軸１４により回転体（メインホイール）８および回転シャフト１６を回転させつつ、図示しない薬液用タンクから薬液用ステータ３４の薬液供給通路６０に水酸化ナトリウム等の薬液を供給するとともに、エア供給源からエア用ステータ（天板部）３０のエア供給通路４８に無菌エアを供給する。
【００３１】
薬液用ステータ３４は、下方に配置された薬液用ディストリビュータ２２との摺動面に、円弧状の長孔６０ｂが開口しており、運転中はこの長孔６０ｂに常時薬液が供給されている。一方、回転シャフト１６に連結された薬液用ディストリビュータ２２には、円周方向等間隔で連通孔２２ａが形成され、回転シャフト１６に設けられた薬液吐出通路１８の各導入口１８ａに連通している。回転シャフト１６とともに回転している薬液用ディストリビュータ２２の連通孔２２ａが、回転に伴って、前記薬液用ステータ３４の長孔６０ｂに接続されると、洗浄用の薬液がステータ３４の薬液供給通路６０の長孔６０ｂ、薬液用ディストリビュータ２２の連通孔２２ａ、回転シャフト１６の薬液吐出通路１８の導入口１８ａから吐出通路１８内および薬液用配管２０を通って洗浄ノズル１２に送られて倒立している容器４内に噴射される。
【００３２】
また、固定側バルブ部材２８のエア用ステータ（天板部）３０に形成されたエア供給通路４８から、回転シャフト１６の肩部外面と天板部３０の内面との間の空間４４内に無菌エアが供給されている。回転シャフト１６の内部に形成されているエア吐出通路２４は、その導入口２４ａが肩部外面に開口して前記空間４４内に連通している。
【００３３】
天板部３０の内面には、前記出口スターホイール１３と入口スターホイール６の間の区間だけエア用ディストリビュータ４９が固定されており、回転シャフト１６の回転に伴って回転移動するエア吐出通路２４が、このディストリビュータ４９の区間を通過すると導入口２４ａが閉鎖されて、洗浄ノズル１２へのエアの供給が遮断される。エア用ディストリビュータ４９によって遮断されていないその他のエア吐出通路２４は、前記エア供給通路４８から空間４４内に供給されたエアが導入され、エア配管２６を介して前記洗浄ノズル１２に送られて容器４内に吹き込まれる。
【００３４】
なお、この実施の形態では、回転シャフト１６に形成された薬液吐出通路２４が薬液用ステータ３４の長孔６０ｂに接続される区間と、エア吐出通路２４が空間４４に接続されている区間、つまり、エア用ディストリビュータ４９によって遮断されていない区間とが一致しており、薬液と無菌エアが同時に容器４内に噴射されるようになっている。但し、薬液と無菌エアを同時に噴射する構造に限定されるものではなく、異なる区間で噴射するようにしても良く、また、噴射する流体は薬液と無菌エアに限るものではない。例えば、最初に薬液を容器４内に噴射し、その後、無菌水を噴射しても良いし、通常の洗浄液と無菌エアを同時に噴射しても良い。また、前記実施の形態では、流体の一方が無菌エアである場合について説明したが、エアに限るものではなく、窒素ガスあるいは炭酸ガス等の他の気体であっても良い。
【００３５】
この実施の形態では、エアの供給通路４８が形成された固定側バルブ部材２８と、エアの吐出通路２４が形成された回転側バルブ部材（回転シャフト）１６との摺動面（エア用ディストリビュータ４９と回転シャフト１６との摺動面）、および薬液の供給通路６０が形成された固定側バルブ部材（薬液用ステータ）３４と、薬液吐出通路１８が形成された回転シャフト１６との摺動面（薬液用ステータ３４と薬液用ディストリビュータ２２との摺動面）の２個所の摺動面が完全に分離されている。つまり、半径方向の位置が異なり、しかも、高低差が設けられているので、２種の流体に圧力差があっても高圧側から低圧側に入り込むおそれはなく、また、水酸化ナトリウムのように浸透性の高い液体を用いてもエア通路内に混入することはなく、ノズル詰まり等の不具合を未然に防止することができる。特に、薬液側の摺動面がエア側の摺動面よりも低い位置にあるので、薬液がエア通路に浸入することを確実に防止することができる。
【００３６】
なお、この実施の形態では、回転側バルブ部材（回転シャフト）１６と固定側バルブ部材２８とを圧接させる構造として、固定側バルブ部材２８内に組み込んだシリンダ装置（環状空間を有する薬液用ステータ３４と筒状部３２に固定されたピストン５０から成るシリンダ装置５５）を用いたが、このような構造に限定されるものではなく、例えば、特開平１０−１１３６３０に記載されたエアシリンダ方式や、特許第３２４３９６７号に記載されているスプリング方式等を用いても良い。また、前記実施の形態では、薬液用のディストリビュータ２２を回転シャフト１６と別部材で構成しているが、同一の部材であっても良い。
【００３７】
次に、図５により第２の実施の形態について説明する。図５は第２の実施の形態に係るロータリー式リンサ１０１のロータリバルブ１１１の要部を示す図であり、回転側バルブ部材１１６には、外周端と内周側に２個所の環状凸部１１６ａ、１１６ｂが形成されている。これら両環状凸部１１６ａ、１１６ｂは高さが異なっており、内周側環状凸部１１６ｂが外周側の環状凸部１１６ａよりも高くなっている。両環状凸部１１６ａ、１１６ｂの間には環状の溝１１６ｃが形成されている。
【００３８】
回転側バルブ部材１１６の外周寄りの内部に、薬液の吐出通路１１８が形成されている。この薬液吐出通路１１８は、前記第１の実施の形態と同様に、円周方向等間隔で設けられており、各薬液吐出通路１１８が外周側環状凸部の１１６ａの上面に開口する導入口１１８ａと、外周面に開口する吐出口１１８ｂとを有している。さらに、外周側環状凸部１１６ａの上面に環状の薬液用ディストリビュータ１２２が連結されている。この薬液用ディストリビュータ１２２は、各薬液吐出通路１１８の導入口１１８ａにそれぞれ対応する位置に、上下に貫通する連通孔１２２ａが形成されている。
【００３９】
一方、回転側バルブ部材１１６の上方に配置された固定側バルブ部材１２８の下面側には、外周部と内周側にそれぞれ環状凸部１２８ａ、１２８ｂが形成され、その中間に環状溝１２８ｃが設けられている。外周側の環状凸部１２８ａは、内周側の環状凸部１２８ｂよりも下方へ突出している。この固定側バルブ部材１２８の外周部に薬液用の供給通路１６０が形成されている。この薬液用供給通路１６０は外周面に開口する供給口１６０ａと、外周側環状凸部１２８ａの下面側に開口する円弧状の長孔１６０ｂとを有している。
【００４０】
この円弧状長孔１６０ｂは、前記回転側バルブ部材１１６の薬液吐出通路１１８の導入口１１８ａおよび薬液用ディストリビュータ１２２の連通孔１２２ａと同一半径の円周上に位置しており、回転側バルブ部材１１６の回転に伴って回転移動する各薬液吐出通路１１８の導入口１１８ａが、前記円弧状長孔１６０ｂに接続されると、固定側バルブ部材１２８から供給された薬液が、回転側バルブ部材１１６の薬液吐出通路１１８および薬液用配管１２０を介して洗浄ノズルに送られる。
【００４１】
また、回転用バルブ部材１１６の内部にはエア吐出通路１２４が形成されている。このエア吐出通路１２４は、内周側環状凸部１１６ｂの上面にエア導入口１２４ａが開口し、さらに、その環状凸部１１６ｂの上面に連結されたエア用ディストリビュータ１４９にも、同一位置に上下に貫通する連通孔１４９ａが形成されている。そして、回転側バルブ部材１１６の外周面に、エア吐出通路１２４の吐出口１２４ｂが設けられている。
【００４２】
前記固定側バルブ部材１２８の内周側の環状凸部１２８ｂ側には、エアの供給通路１４８が形成されている。エア供給通路１４８の入口側の供給口１４８ｂは図示しないエア供給源に接続されており、このエア供給通路１４８に無菌エアが供給されるようになっている。また、エア供給通路１４８の出口側は、前記エア用ディストリビュータの１４９の連通孔１４９ａと同一半径の円周上に所定範囲の円弧状長孔１４８ａが形成されており、エア吐出通路１２４の導入口１２４ａおよびエア用ディストリビュータ１４９の連通孔１４９ａが、回転に伴って前記長孔１４８ａに接続されると、無菌エアがエア用配管１２６から洗浄ノズルに送られる。
【００４３】
この実施の形態のロータリバルブ１１１は、図示しない圧接手段によって固定側バルブ部材１２８と回転側バルブ部材１１６とを圧接させるようになっており、固定側バルブ部材１２８の２個所の環状凸部１２８ａ、１２８ｂと、回転側バルブ部材１１６の２個所の環状凸部１１６ａ、１１６ｂ上にそれぞれ連結された２つのディストリビュータ１２２、１４９とが同時に密着して摺動する。
【００４４】
この実施の形態では、固定側バルブ部材１２８に形成されている薬液供給通路１６０の円弧状長孔１６０ｂが開口する摺動面と、回転側バルブ部材１１６に連結された薬液用ディストリビュータ１２２の摺動面を、両バルブ部材１１６、１２８の外周側に配置し、エア供給通路１４８の円弧状長孔１４８ａが開口する摺動面と、エア用ディストリビュータ１４９の摺動面を内周側に配置して、これら両通路（薬液用通路とエア通路）の半径方向の位置を異ならせるとともに、高さも異ならせているので、薬液がエア側に混入するおそれがない。例えば薬液として水酸化ナトリウム等の浸透性の高い液体を使用した場合でも、半径方向の位置および高さを異ならせて完全に分離しておくことにより、前記液体のエア通路への混入を防止することができる。なお、この実施の形態でも、流体の一方が無菌エアである場合について説明したが、エアに限るものではなく、窒素ガスあるいは炭酸ガス等の他の気体であっても良い。
【００４５】
【発明の効果】
以上説明したように請求項１に記載の発明によれば、流体の供給通路が形成された固定側部材と、この固定側部材に対し摺動回転可能に配置され、回転に伴って前記供給通路に連通遮断される吐出通路が形成された回転側部材とを備え、回転側部材の回転中に、吐出通路が固定側部材の供給通路に接続された際に、流体を洗浄ノズルに送って容器に噴射するロータリー式リンサにおいて、前記供給通路と吐出通路を少なくとも２組設け、各組の通路が開口する摺動面を高低差を付けて配置したことにより、洗浄用の流体を完全に独立させることができるので、水酸化ナトリウムなどの浸透性の高い液体を採用した場合でも、エア等の他の流体の通路内に混入することが無く、ノズル詰まり等の不具合が発生することを未然に防止することができる。
【００４６】
また、請求項２に記載の発明によれば、請求項１に記載のロータリー式リンサにおいて、さらに、前記摺動面を半径方向に位置を異ならせて配置したことにより、洗浄用の流体をより確実に分離させることができるので、一層優れた効果を奏することができる。
【図面の簡単な説明】
【図１】本発明の一実施の形態に係るロータリー式リンサの要部を示す縦断面図である。
【図２】前記ロータリー式リンサの全体の配置を簡略化して示す平面図である。
【図３】前記ロータリー式リンサの全体の構成を簡略化して示す縦断面図である。
【図４】薬液用ディストリビュータとエア用ディストリビュータを示す断面図であり、上下で異なる断面を示す。
【図５】第２の実施の形態に係るロータリー式リンサの要部の縦断面図である。
【符号の説明】
１    ロータリー式リンサ
４    容器
１２    洗浄ノズル
１６    回転側部材（回転シャフト）
１８    吐出通路（薬液吐出通路）
２４    吐出通路（エア吐出通路）
２８    固定側部材
４８    供給通路（エア供給通路）
６０    供給通路（薬液供給通路）
【図１】
2005021773.tif 000003
【図２】
2005021773.tif 000004
【図３】
2005021773.tif 000005
【図４】
2005021773.tif 000006
【図５】
2005021773.tif 000007